(57)【要約】【課題】例えば、導光板の上面（射出面）の場所により色度に違いが生じることのない光を射出することのできるバックライト・ユニット、そのバックライト・ユニットを用いた液晶表示装置を提供すること。【解決手段】エッジライト方式のバックライト・ユニットにおいて、上面（射出面）に対向する背面１３側に配される反射板として、有彩色の反射光を射出する反射体２１を有すること。導光板１１の端面側に配される反射板として、有彩色の反射光を射出する反射体２０を有すること。有彩色の色度を光源から遠ざかるに従って変化させること。【選択図】図１
2007200740.tif 000002
【特許請求の範囲】
【請求項１】
導光板の一方の端面側に配した光源からの光を該導光板の上面（射出面）から射出させて面光源とするエッジライト方式のバックライト・ユニットにおいて、前記上面（射出面）に対向する背面側に配される反射板として、有彩色の反射光を射出する反射体を有することを特徴とするバックライト・ユニット。
【請求項２】
前記上面（射出面）から射出させる射出光の色度が、該上面（射出面）の全面に亘って略均一になるように、前記有彩色の色度を光源から遠ざかるに従って変化させたことを特徴とする請求項１記載のバックライト・ユニット。
【請求項３】
導光板の一方の端面側に配した光源からの光を該導光板の上面（射出面）から射出させて面光源とするエッジライト方式のバックライト・ユニットにおいて、前記導光板の端面側に配される反射板として、有彩色の反射光を射出する反射体を有することを特徴とするバックライト・ユニット。
【請求項４】
前記反射体が拡散反射性を有することを特徴とする請求項１、請求項２、又は請求項３記載のバックライト・ユニット。
【請求項５】
前記有彩色が、ある反射板を配した際に射出される射出光の補色であることを特徴とする請求項１、請求項２、請求項３、又は請求項４記載のバックライト・ユニット。
【請求項６】
前記光源からの光を導光板の上面（射出面）へ射出させる素子として回折格子が配されていることを特徴とする請求項１、請求項２、請求項３、請求項４、又は請求項５記載のバックライト・ユニット。
【請求項７】
請求項１〜請求項６のいずれか１項に記載のバックライト・ユニットを用いたことを特徴とする液晶表示装置。
【発明の詳細な説明】
【技術分野】
【０００１】
本発明は、液晶表示装置におけるバックライト・ユニットに関するものであり、特に表示画面に対して側面に配置される光源からの光を導光して、射出面より液晶パネル（ＬＣＤパネル）側に光を射出する構成の、所謂エッジライト式のバックライト・ユニットに関する。
【背景技術】
【０００２】
透過型のＬＣＤパネルの背面に設けられる照明光源である所謂バックライトには、光源からの光を均一にＬＣＤパネルに導くために、透明樹脂からなる導光板が用いられている。図４は、従来のエッジライト方式のバックライト・ユニットの一例の構造を示す断面図である。
【０００３】
図４に示すように、透過型ＬＣＤのバックライト・ユニットとして、線状あるいは点状の光源１０を導光板１１の横に置いたエッジライト方式のバックライト・ユニットでは、光源からの光は導光板内を全反射を繰り返しながら進む。（以後、光の挙動を示す用語として、伝搬，導光など、同様の意味で混在して用いる。）
そして、導光板の背面１３に配したプリズム１８により、導光板の射出面１２に向かって射出される。背面１３から漏れ出た光は反射板１９によって導光板内に戻される。また、射出面１２の上方には拡散シート１６を配置した構造になっている。
【０００４】
導光板１１の光源１０側の端面から入射して、導光板１１内を伝搬する光を射出面１２（導光板１１の上面）から取り出すための手段として、プリズム１８を用いない例としては、拡散反射層、例えば印刷により設けた散乱性のドットにより光を拡散射出する方法や、導光板１１の背面１３に回折格子を形成する方法が提案されている（特許文献１参照）。
【特許文献１】特開平７−２４８４９６号公報
【発明の開示】
【発明が解決しようとする課題】
【０００５】
導光板の射出面側に光を射出させるための素子として、背面に配している拡散反射層、プリズム、回折格子などの各種素子による光の利用効率が、光の波長に依存する場合、その利用効率の違いにより、また、光源からの距離によって、導光板内の光の波長分布、及び射出光の波長分布に差が生じることにより、射出面１２から射出される光の色度は場所により違いが生じてしまう。
【０００６】
本発明は、例えば、導光板の上面（射出面）の場所により色度に違いが生じることのない光を射出することのできるバックライト・ユニットを提供することを課題とするものである。また、例えば、上記バックライト・ユニットを用いた液晶表示装置を提供することを課題とする。
【課題を解決するための手段】
【０００７】
本発明は、導光板の一方の端面側に配した光源からの光を該導光板の上面（射出面）から射出させて面光源とするエッジライト方式のバックライト・ユニットにおいて、前記上面（射出面）に対向する背面側に配される反射板として、有彩色の反射光を射出する反射体を有することを特徴とするバックライト・ユニットである。
【０００８】
また、本発明は、上記発明によるバックライト・ユニットにおいて、前記上面（射出面）から射出させる射出光の色度が、該上面（射出面）の全面に亘って略均一になるように、前記有彩色の色度を光源から遠ざかるに従って変化させたことを特徴とするバックライト・ユニットである。
【０００９】
また、本発明は、導光板の一方の端面側に配した光源からの光を該導光板の上面（射出面）から射出させて面光源とするエッジライト方式のバックライト・ユニットにおいて、前記導光板の端面側に配される反射板として、有彩色の反射光を射出する反射体を有することを特徴とするバックライト・ユニットである。
【００１０】
また、本発明は、上記発明によるバックライト・ユニットにおいて、前記反射体が拡散反射性を有することを特徴とするバックライト・ユニットである。
【００１１】
また、本発明は、上記発明によるバックライト・ユニットにおいて、前記有彩色が、ある反射板を配した際に射出される射出光の補色であることを特徴とするバックライト・ユニットである。
【００１２】
また、本発明は、上記発明によるバックライト・ユニットにおいて、前記光源からの光を導光板の上面（射出面）へ射出させる素子として回折格子が配されていることを特徴とするバックライト・ユニットである。
【００１３】
また、本発明は、請求項１〜請求項６のいずれか１項に記載のバックライト・ユニットを用いたことを特徴とする液晶表示装置である。
【発明の効果】
【００１４】
本発明によれば、特殊な光学フィルムなどを用いる必要がなく、導光板の背面側に配した反射板、あるいは端面に近接して配置される反射板に、有彩色の反射光を射出する反射体を用いることにより、透過型ＬＣＤのバックライト・ユニットの色度を容易に調節・補正することが可能となる。
【発明を実施するための最良の形態】
【００１５】
以下に本発明の実施の形態を詳細に説明する。
透過型ＬＣＤの照明光源となるバックライト・ユニットの色はその用途からして、例えば白色であることが望ましい。本発明は、透過型ＬＣＤのバックライト・ユニットにおいて、例えば、ある反射板を用いたバックライト・ユニットの射出光の色度に対し、その補色を反射する反射体を用いることによって、射出光の色度を白色に補正することを可能としたものである。
【実施例】
【００１６】
以下に本発明の実施例により具体的に説明する。
図１は、本発明のバックライト・ユニットの実施例の断面図である。図１に示すように、導光板１１の射出面１２、背面１３にはともに回折格子１７を配し、該回折格子は５３２ｎｍの光が入射角（θ）５５°で入射したとき、０度方向に光を回折するように設計されている。
導光板１１の背面１３側には反射体２１を、射出面１２側にはレンズシート１５を配置している。反射体２１には青色のインクが塗布されており、図２に示すように、青色のインクは光源から離れるに従って、連続的に彩度が高くなるように塗布されている。
【００１７】
青色のインクが塗布される前の反射体の状態においては、導光板から射出される光の色度は、光源に近い場所では色度図上でｘ＝０．２９２８、ｙ＝０．２８８５であるが、光
源から離れた終端面１４付近ではｘ＝０．３２４０、ｙ＝０．３２６６となり赤みを帯びている。
そこで、青色のインクが塗布された反射体とすることにより、終端面１４付近での色度は、ｘ＝０．３０８１、ｙ＝０．３１８４と前記光源の色度に近い値を示した。
図２は、青色のインクが連続的に彩度が高くなるように塗布されている状態を平面で示す説明図である。
【００１８】
上記のように、背面１３側に配している反射体２１に、インクが塗布される前の状態での射出光の補色の反射光を射出する反射体を用いることにより、光源の色度に近い色度の射出光が得られた。
【００１９】
図３は、導光板１１の背面１３側には反射板１９を配し、また光源から離れた終端面１４側には反射体２０を配している。反射板１９には青色のインクが塗布されておらず、反射体２０には青色のインクが塗布されている例である。このように、端面側に反射板として補色の反射光を射出する反射体を有することにより上記と同様な効果を奏することが可能である。
【００２０】
上記実施例は、光源が白色であって、有彩色が或る反射板を配した際に射出される射出光の補色である例を説明したものである。また、本発明は、白色以外の光源の際に、有彩色の反射光を射出する反射体を用いることにより、その光源からの光の色度を変化させて射出面から射出させるものである。また、本発明は、白色以外の光源の際に、光源から遠ざかるに従って変化する色度の変化に対応させた有彩色の反射光を射出する反射体を用いることにより、上記色度の変化を補正するものである。
【００２１】
また、本発明は、反射体が拡散反射性を持つことにより、正反射光成分だけでなく拡散光成分を発生させ、各波長の射出方向の差を減らすことができ、より白色に補正することが可能となる。
【図面の簡単な説明】
【００２２】
【図１】本発明のバックライト・ユニットの実施例の断面図である。
【図２】青色のインクが連続的に彩度が高くなるように塗布されている状態を平面で示す説明図である。
【図３】光源から離れた終端面側には反射体を配している例の断面図である。
【図４】従来のエッジライト方式のバックライト・ユニットの構造を示す断面図である。
【符号の説明】
【００２３】
１０・・・光源
１１・・・導光板
１２・・・射出面
１３・・・背面
１４・・・終端面
１５・・・レンズシート
１６・・・拡散シート
１７・・・回折光学
１８・・・プリズム
１９・・・反射板
２０・・・本発明における反射体
２１・・・本発明における反射体
【図１】
2007200740.tif 000003
【図２】
2007200740.tif 000004
【図３】
2007200740.tif 000005
【図４】
2007200740.tif 000006